(57)【要約】      （修正有）【課題】和紙やパルプなど繊維状物質の製品形状の型再現性及び成形型の造形自由度および成形体の生産性を高める。【解決手段】多数の吸引孔がある中空状成形型であって、成形型内部を吸引する吸引型および成形型を吸引圧力から護るための成形型補助型の３種の型から成る複層型構造体。複層型構造体の内、多数の吸引孔がある中空状成形型は粉末焼結積層造形法や光造形法などの積層造形法を用いる。また吸引型は粉末焼結積層造形法や光造形法などの積層造形法あるいは従来の切削加工を用いる。また成形型補助型はステンレスのパンチングメタルを用いる。また成形体の生産性を高める方法は石膏や金属、木質など安価な方法で製作した多数の整形乾燥型に成形型から離型した生乾状態の成形体を取り付けて形を整え完全乾燥する製造方法。【選択図】図２５
2017193792.tif 000002
【特許請求の範囲】
【請求項１】
名刺およびカードケースが成形できる多数の吸引孔がある中空状の成形型
【請求項２】
名刺およびカードケースが成形できる多数の吸引孔がある中空状の成形型および中空状の成形型内部を吸引する吸引口型と中空状成形型を繋ぐ吸引型および中空状の成形型を吸引圧力から護るための成形型補助型の３種の型から成る複層型構造体
【請求項３】
多数の吸引孔がある中空状の成形型と吸引口型が一体化した中空状の成形型
【請求項４】
和紙やパルプなどの繊維状物質を中空状の成形型で成形した後に中空状の成形型から成形体を離型し整形乾燥型に取り付けて乾燥する製造方法
【発明の詳細な説明】
【技術分野】
【０００１】
本発明は叩解した和紙やパルプなどの繊維状物質を多数の吸引孔がある中空状成形型表面に吸引吸着して成形する複層型構造体による成形法および製造方法に関するものである。
【背景技術】
【０００２】
和紙手工芸品の一閑張や張子は木型あるいは粘土型への材料塗布で立体成形するため成形体の厚みが増し和紙材料を塗り重ねた痕が残されるが手工芸的風合いとして古くから親しまれ多品種少量生産に適応している。
【０００３】
しかし和紙材料を塗り重ねる立体成形法は型の製品形状再現性が低いため一定水準の精度を求められる製品には適していない。
【０００４】
一方機械的和紙成形法の成形型は多数の吸引孔や中空形状を必要とするが切削加工などの型加工技術では製作が難しい。
【０００５】
そのため手加工による金属製網を成形型に用いているがＮＣ加工のように製品設計が直接、成形型に反映されない。
【０００６】
また和紙立体成形型の製品形状再現性は吸引力による繊維状物質の成形型表面への吸引吸着で実現する。しかし金属製網の成形型は吸引力で変形する。
【０００７】
更に
【特許文献２】特開２００４−２５６９７２のような機械的な和紙成形法の繊維製網成形型は製品設計が直接、成形型に反映され難い。
【０００８】
また繊維製網の成形型は吸引力で変形する。
【０００９】
和紙やパルプなど湿潤な繊維状物質は湿潤状態で離型すると変形するため完全な乾燥状態での離型が求められる。そのため生産性を高めるには成形型とは別に整形を兼ねた多くの乾燥型が必要になる。
【先行技術文献】
【特許文献】
【００１０】
【特許文献１】特開平３−１５６５９４
【特許文献２】特開２００４−２５６９７２
【特許文献３】特開２０１１−５２３５４
【発明の概要】
【発明が解決しようとする課題】
【００１１】
和紙手工芸品の立体成形は和紙材料を成形型に塗布することで成形体の厚みが増す。そのため成形型による形状再現性が低く一定水準の精度を求める製品には適していない。
【００１２】
一方機械的な和紙成形の金属製網や繊維製網の成形型には製品形状再現性はあるものの、製品設計が直接成形型に反映され難いため成形型の造形自由度に限界がある。
【００１３】
また金属製網や繊維製網の成形型は吸引力で変形する。
【００１４】
和紙やパルプなど湿潤な繊維状物質を湿潤状態で離型すると変形するので完全な乾燥状態での離型が求められる。そのため生産性を高めるには成形型とは別に整形を兼ねた多くの乾燥型が必要になる。
本発明で解決しようとする課題は成形型の製品形状再現性および成形型の造形自由度および成形体の生産性を高める方法である。
【課題を解決するための手段】
【００１５】
名刺およびカードケースが成形できる多数の吸引孔がある中空状の成形型および中空状の成形型内部を吸引するための吸引口と中空状の成形型を繋ぐ吸引口型がある吸引型および中空状の成形型を吸引圧力から護るための成形型補助型の３種の型から成る複層型構造体
【００１６】
複層型構造体の内、多数の吸引孔がある中空状成形型は粉末焼結積層造形法や光造形法などの積層造形法を用いる。
【００１７】
複層型構造体の内、吸引型は粉末焼結積層造形法や光造形法などの積層造形法あるいは従来の切削加工を用いる
【００１８】
複層型構造体の内、成形型補助型はステンレスのパンチングメタルを用いる。
【００１９】
成形体の生産性を高める方法は石膏や金属、木質など安価な方法で製作した多数の整形乾燥型に成形型から離型した生乾状態の成形体を取り付けて形を整え完全乾燥する。
【発明の効果】
【００２０】
本発明により名刺やカードケースのような薄く平坦な成形体が和紙やパルプなどの繊維状物質でできる。
【００２１】
本発明により照明具の傘や器のような多種多様な形状の成形体が和紙やパルプなどの繊維状物質でできる。
【００２２】
本発明により和紙やパルプなどの繊維状物質の立体成形体の生産性が向上する。
【図面の簡単な説明】
【００２３】
【図１】和紙やパルプなどの繊維状物質成形のための実験成形型の正面図
【図２】図１の平面図
【図３】図１の側面図  ａ−ａ  切断端面図
【図４】図１の底面図
【図５】成形型と吸引口が一体の植物蕾形照明具成形型正面図
【図６】図５の平面図
【図７】図５の側面図  ｂ−ｂ  切断端面図
【図８】図５の底面図
【図９】図５の斜視図
【図１０】照明具成形型補助型の正面図
【図１１】図１０の平面図
【図１２】図１０の底面図
【図１３】照明具成形型の正面図
【図１４】図１３の平面図
【図１５】図１３の底面図
【図１６】図１０成形型補助型に図１３の成形型を取り付けた正面図
【図１７】図１６のｄ−ｄ  切断端面図
【図１８】図１６の底面図
【図１９】ピルケース成形型の正面図
【図２０】図１９の平面図  ｆ−ｆ  切断端面図
【図２１】図１９の側面図  ｅ−ｅ  切断端面図
【図２２】図１９の底面図
【図２３】隠れ線表示の名刺およびカードケースの正面図
【図２４】図２３の平面図
【図２５】図２３の側面図
【図２６】名刺およびカードケース蓋成形型に凸成形型と吸引型を取り付けた正面図
【図２７】図２６の底面図
【図２８】名刺およびカードケース蓋成形型の平面図
【図２９】名刺およびカードケース蓋成形型の側面図
【図３０】名刺およびカードケース蓋成形型の底面図
【図３１】名刺およびカードケース蓋成形型の背面図
【図３２】凸成形型を取り外した名刺およびカードケース蓋成形型正面図
【図３３】隠れ線表示の名刺およびカードケース蓋成形型用吸引型正面図
【図３４】図３３の平面図
【図３５】図３３の側面図
【図３６】図３３の底面図
【図３７】図３３の斜視図
【図３８】名刺およびカードケース蓋成形用の成形型補助型正面図
【図３９】図３８の平面図
【図４０】図３８の側面図
【図４１】名刺およびカードケース蓋成形型用凸成形型
【図４２】図４１の平面図
【図４３】図４１の側面図
【図４４】図４１の底面図
【図４５】図４１の背面図
【図４６】整形乾燥型正面図
【図４７】図４６の平面図
【図４８】図４６の側面図
【図４９】名刺およびカードケース身成形型に凸成形型を取り付けた正面図
【図５０】図４９の平面図
【図５１】図４９の側面図
【図５２】図４９の底面図
【図５３】図４９の背面図
【図５４】名刺およびカードケース身整形乾燥型正面図
【図５５】図５４の平面図
【図５６】図５４の側面図
【図５７】隠れ線表示のスマートフォンケース正面図
【図５８】吸水型に取り付けた成形型補助型に名刺およびカードケース蓋成形型を取り付ける側面図
【図５９】名刺およびカードケース蓋の成形
【図６０】和紙やパルプなどの繊維状物質成形のための工程図
【発明を実施するための形態】
【００２４】
[請求項１]
名刺およびカードケースが成形できる多数の吸引孔がある中空状の成形型
[請求項２]
名刺およびカードケースが成形できる多数の吸引孔がある中空状の成形型および中空状の成形型内部を吸引する吸引口型と中空状成形型を繋ぐ吸引型および中空状の成形型を吸引圧力から護るための成形型補助型の３種の型から成る複層型構造体
[請求項３]
多数の吸引孔がある中空状の成形型と吸引口型が一体化した中空状の成形型
[請求項４］
和紙やパルプなどの繊維状物質を多数の吸引孔がある中空状成形型で成形した後に中空状の成形型から成形体を離型し整形乾燥型に取り付けて乾燥する製造方法
【産業上の利用可能性】
【００２５】
本発明は主に和紙伝統工芸品の活用に開発されたものであるが、たとえば布帛のような繊維状物質の成形への応用も考えられる。
【符号の説明】
【００２６】
１      成形型
１a     成形型張出し
２      吸引型
２a     吸引口型
２b     吸引口
２c     吸引型  ｇ−ｇ  切断端面図
３      吸引孔
３a     内側吸引孔
４      離型補助材
５      繊維状物質成形体
６      成形型補助型
７      離型補助溝
８      名刺およびカードケース蓋成形型
８a     名刺およびカードケース蓋成形型成形留め
８b     名刺およびカードケース蓋成形型張出し
９      名刺およびカードケース蓋凸成形型
９a     名刺およびカードケース蓋凸成形型成形留め
９ｂ    名刺およびカードケース蓋凸成形型成形張出し
１０    名刺およびカードケース吸引型
１０a   名刺およびカードケース吸引口型
１０b   名刺およびカードケース吸引口
１０c   成形補助型取り付け溝
１１    名刺およびカードケース成形型補助型
１２    名刺およびカードケース整形型
１３    離型用補助材
１４    和紙やパルプなどの繊維状物質
１５    和紙やパルプなどの繊維状物質成形のための工程図
Ａ      吸引型と成形補助型と中空状成形型の取り付け図
Ｂ      図２２の切断端面図に成形型を取り付けて成形体を成形した図
【図１】
2017193792.tif 000003
【図２】
2017193792.tif 000004
【図３】
2017193792.tif 000005
【図４】
2017193792.tif 000006
【図５】
2017193792.tif 000007
【図６】
2017193792.tif 000008
【図７】
2017193792.tif 000009
【図８】
2017193792.tif 000010
【図９】
2017193792.tif 000011
【図１０】
2017193792.tif 000012
【図１１】
2017193792.tif 000013
【図１２】
2017193792.tif 000014
【図１３】
2017193792.tif 000015
【図１４】
2017193792.tif 000016
【図１５】
2017193792.tif 000017
【図１６】
2017193792.tif 000018
【図１７】
2017193792.tif 000019
【図１８】
2017193792.tif 000020
【図１９】
2017193792.tif 000021
【図２０】
2017193792.tif 000022
【図２１】
2017193792.tif 000023
【図２２】
2017193792.tif 000024
【図２３】
2017193792.tif 000025
【図２４】
2017193792.tif 000026
【図２５】
2017193792.tif 000027
【図２６】
2017193792.tif 000028
【図２７】
2017193792.tif 000029
【図２８】
2017193792.tif 000030
【図２９】
2017193792.tif 000031
【図３０】
2017193792.tif 000032
【図３１】
2017193792.tif 000033
【図３２】
2017193792.tif 000034
【図３３】
2017193792.tif 000035
【図３４】
2017193792.tif 000036
【図３５】
2017193792.tif 000037
【図３６】
2017193792.tif 000038
【図３７】
2017193792.tif 000039
【図３８】
2017193792.tif 000040
【図３９】
2017193792.tif 000041
【図４０】
2017193792.tif 000042
【図４１】
2017193792.tif 000043
【図４２】
2017193792.tif 000044
【図４３】
2017193792.tif 000045
【図４４】
2017193792.tif 000046
【図４５】
2017193792.tif 000047
【図４６】
2017193792.tif 000048
【図４７】
2017193792.tif 000049
【図４８】
2017193792.tif 000050
【図４９】
2017193792.tif 000051
【図５０】
2017193792.tif 000052
【図５１】
2017193792.tif 000053
【図５２】
2017193792.tif 000054
【図５３】
2017193792.tif 000055
【図５４】
2017193792.tif 000056
【図５５】
2017193792.tif 000057
【図５６】
2017193792.tif 000058
【図５７】
2017193792.tif 000059
【図５８】
2017193792.tif 000060
【図５９】
2017193792.tif 000061
【図６０】
2017193792.tif 000062